(57)【特許請求の範囲】
【請求項１】
コンクリート製金庫受け台と、該金庫受け台の上に戴置され、開閉自在で施錠可能な扉板を備えた金庫本体からなる金庫装置であって、
前記金庫本体は、その底面に少なくとも２個の貫通孔を形成し、かつ前記金庫受け台は、その上面の該貫通孔と対応する箇所に据付け穴を各々設けてなり、
そして、据付けボルトを前記金庫本体の内部より前記貫通孔に挿通し、該据付けボルトの先端が挿入された前記据付け穴をケミカルアンカー材で充填すると共に、該据付けボルトを前記金庫本体の底面にナットで螺着固定してなり、
ワイヤメッシュ入りコンクリート製の閉塞部が前記金庫受け台の上面で前記金庫本体の底部の周囲に形成され、前記金庫本体の底部と前記金庫受け台の上面との間の隙間が塞がれており、そして
上底板が前記金庫本体の内部に前記貫通孔の上方にて張設され、前記金庫本体が二重底構造となっていることを特徴とする金庫装置。
【請求項２】
開閉自在で施錠可能な扉板を備え、その底面に少なくとも２個の貫通孔を形成すると共に、その内部に前記貫通孔の上方にて張設し得る上底板を備え、二重底構造とすることができる金庫本体と、
コンクリート製金庫受け台の上面に設けられる据付け穴を充填するためのケミカルアンカー材と、
前記貫通孔に挿通し、ボルト先端を該据付け穴に挿入するための据付けボルトと、
該据付けボルトを前記金庫本体の底面に螺着固定するためのナットと、
前記金庫受け台の上面で前記金庫本体の底部の周囲に形成して、前記金庫本体の底部と前記金庫受け台の上面との間の隙間を塞ぐためのワイヤメッシュ入りコンクリート材
からなることを特徴とする金庫キット。
【発明の詳細な説明】
【０００１】
【発明の属する技術分野】
本発明は金庫装置に関する。詳しくは、近年の金庫盗難の手口に対応し、金庫を容易に持ち去ることを不可能とした金庫装置に関する。
【０００２】
【従来の技術】
従来から、現金、貴金属品等の盗難を防止するために、金融機関、郵便局、商店、娯楽施設等において金庫が使用されている。金庫は、開閉自在な扉板および電子式、ダイアル式等の鍵を設け、それにより金庫内部にある貴重品の盗難を防止するものである。また、建物へ不審者が侵入した際および金庫を不正に開錠したり金庫を破壊したりした際に電話回線などを介し警備会社等に対し警報を発する装置と、金庫とを組み合わせた包括的な盗難防止システムも存在している。
【０００３】
このような包括的盗難防止システムの発達に従い、金庫の不正開錠、破壊等によって金庫内部の貴重品を盗み出すことは、長時間を要するために困難になりつつある。そこで近年では、金庫そのものを盗み出す手口が用いられるようになっている。そのような手口では、盗難防止システムにより警報が発せられてから警備員が現場に到着するまでの間に犯人は盗み出した金庫と共に逃走してしまうため、従来の盗難防止システムにより金庫の盗難を防止することは不可能であった。
【０００４】
特開２０００−７３６５８公報には、金庫の扉板の不正な開閉を検知する第１警報錠と、金庫本体底面および金庫をその上に設置するベース鋼板の双方に設けたマグネットセンサーからなる第２警報錠とを有する防盗型金庫が開示されている。該防盗型金庫は、金庫の扉板が不正に開閉された場合に第１警報錠によって警報を発するだけでなく、金庫本体が移動されたり持ち上げられたりした場合にも第２警報錠により警報を発することができる。しかしながら、たとえこのような金庫を使用したとしても、金庫の移動によって警報が発せられてから警備員が到着するまでに金庫が持ち去られてしまうという問題は残る。
【０００５】
【発明が解決しようとする課題】
以上のような状況に鑑み、近年の金庫盗難の手口に対応して、容易に持ち去ることが不可能な構造とした金庫の開発が期待されている。
【０００６】
【課題を解決するための手段】
本発明者は上記課題について鋭意開発を行った結果、金庫の底面に貫通孔を設けると同時に、金庫を載置する受け台の該貫通孔と対応する位置に各々穴を穿設し、該穴をケミカルアンカー材で満たし、その後、ボルトを該金庫の内側から該貫通孔を通して該穴に挿入してボルトと受け台を固定し、さらに該ボルトにナットを螺着して金庫に固定することにより、金庫が受け台に連結されて移動不可能となることを見出し、本発明を完成させた。
【０００７】
従って本発明は、
コンクリート製金庫受け台と、該金庫受け台の上に戴置され、開閉自在で施錠可能な扉板を備えた金庫本体からなる金庫装置であって、
前記金庫本体は、その底面に少なくとも２個の貫通孔を形成し、かつ前記金庫受け台は、その上面の該貫通孔と対応する箇所に据付け穴を各々設けてなり、
そして、据付けボルトを前記金庫本体の内部より前記貫通孔に挿通し、該据付けボルトの先端が挿入された前記据付け穴をケミカルアンカー材で充填すると共に、該据付けボルトを前記金庫本体の底面にナットで螺着固定してなることを特徴とする金庫装置
に関する。
【０００８】
金庫を受け台に載置すると金庫と受け台との間に隙間が生じ、該隙間が金庫と受け台との連結を破壊する手掛かりとなる場合がある。そこで、該隙間を塞ぐことにより、該隙間にバール等を差し込んで金庫を移動させること等も防ぐことができる。また隙間を塞ぐための部分に一方が受け台に埋設されたワイヤメッシュを含ませると、該部分が受け台から容易に脱離しない構成とすることができる。
それ故本発明は、
ワイヤメッシュ入りコンクリート製の閉塞部が前記金庫受け台の上面で前記金庫本体の底部の周囲に形成され、前記金庫本体の底部と前記金庫受け台の上面との間の隙間が塞がれていることを特徴とする前記金庫装置
にも関する。
【０００９】
本発明に従う金庫装置は、金庫本体の内側底面に据付けボルト、ナット等が露出し、使用上または美観上で不利な場合がある。しかしながら、金庫本体の内側で、かつ底面より上側に上底板を設けて二重底構造とすることにより、据付けボルト、ナット等が露出しない構造とすることができる。
よって本発明は、
上底板が前記金庫本体の内部に前記貫通孔の上方にて張設され、前記金庫本体が二重底構造となっていることを特徴とする前記金庫装置
にも関する。
【００１０】
本発明はまた、開閉自在で施錠可能な扉板を備え、その底面に少なくとも２個の貫通孔を形成する金庫本体と、
コンクリート製金庫受け台の上面に設けられる据付け穴を充填するためのケミカルアンカー材と、
前記貫通孔に挿通し、ボルト先端を該据付け穴に挿入するための据付けボルトと、
該据付けボルトを前記金庫本体の底面に螺着固定するためのナット
からなることを特徴とする金庫キットにも関する。
【００１１】
【発明の実施の形態】
以下、本発明の金庫装置の一つの態様を図示する図面を参照しながら、本発明をより詳細に説明する。
図１は本発明の金庫装置を図示する斜視図であり、また図２は図１に図示する金庫装置の断面図である。
【００１２】
本発明の金庫装置１は、金庫受け台２と、金庫受け台２の上に載置する金庫本体３からなる。
金庫受け台２はその上に金庫本体３を載置するコンクリート製の台である。金庫受け台２の構造および形状は特に限定されないけれども、金庫本体３を支持することができるように、所定の強度並びに少なくとも金庫本体３の底面より大きい面積を有する水平な頂部を有しなければならない。
【００１３】
金庫本体３は貴重品を収容する空間を内部に形成する箱状の部材であり、開閉自在で施錠可能な扉板を備えている。貴重品保管の観点から、金庫本体３は、容易に破壊して内部の貴重品を取り出すことができないよう、十分な硬さおよび厚さを有する材料から製造されるべきである。また、簡単に持ち運ぶことができない程度の重量を有することも望ましい。さらに金庫本体３が耐火性（耐熱性）および耐水性（防水性）を有すると、火災や水害等の際に金庫装置１が高温および水没に曝されても、金庫本体３内の貴重品が損なわれないので好ましい。
また金庫本体３を施錠する手段としては、鍵を用いる古典的な錠、ダイヤル式錠、電子錠等を挙げることができ、さらに同一または異なった形式の施錠手段を複数個設けることも可能である。
【００１４】
金庫本体３の底面には、少なくとも２個の貫通孔４が形成される。また金庫受け台２の上面には、貫通孔４に対応する各々の箇所について据付け穴５が穿設される。貫通孔４および据付け穴５は少なくとも据付けボルト６より大きい直径を有する必要がある。
【００１５】
そして据付け穴５をケミカルアンカー材７で満たし、金庫受け台２の上に金庫本体３を戴置した後に、据付けボルト６を金庫本体３の内側より貫通孔４を通して据付け穴５に挿入して据付けボルト６を金庫受け台２に固定し、据付けボルト６をナット８により金庫本体３の底面に螺着固定することにより、金庫受け台２と金庫本体３とを連結する。
据付けボルト６の挿入は、据付けボルト６がケミカルアンカー材７による固定に必要とされる分だけ据付け穴５に挿入され、かつ据付けボルト６が金庫本体３の内側に向けてナット８を螺着する部分を突出するように行われる。据付けボルト６の表面にはナット８を螺着するための螺子が形成されており、またその材料は例えば規格ＳＵＳ３０４に定められるものが好ましい。
【００１６】
ケミカルアンカー材７は内部に反応型の硬化性樹脂からなる接着剤を封入したカプセルであり、該カプセルを母材に設けた穴内に充填し、棒状物を該穴に打ち込んでカプセルを破壊し、そして破壊されたカプセルから流れ出た接着剤が硬化して、母材と棒状物とを固定するものである。
ケミカルアンカー材７中に封入される接着剤としては例えば二液混合型のような反応接着剤が挙げられるけれども、一方を一液型接着剤とし、そして他方をそれと反応しないか、または助剤として働く薬剤としたものも使用可能である。
【００１７】
金庫本体３はナット８により据付けボルト６に螺着固定されるが、固定を確実にするために、ナット８と金庫本体３の底面との間に座金を挟むことも可能である。
このような、貫通孔４、据付け穴５、据付けボルト６、ケミカルアンカー材７およびナット８によって形成される金庫受け台２と金庫本体３との連結は、金庫本体２を回転しないよう確実に固定する観点から、一定の間隔を隔て離れた少なくとも２ヶ所で形成されることが好ましい。また該連結の数が多ければ多いほど、金庫本体２は金庫受け台８により強固に連結されることとなる。
【００１８】
図示される態様の金庫装置１はさらに、金庫受け台２の上面でかつ金庫本体３の周囲に閉塞部９が形成されている。閉塞部９は、金庫受け台２の上面と金庫本体３の底面との間に生じる隙間を塞ぐためのコンクリート製の部分であり、好ましくはその内部にワイヤメッシュ１０を含む。
ワイヤメッシュ１０は、金庫本体３の周囲を取り囲む位置で金庫受け台２に埋設された金属製の網であり、その一方は金庫受け台２に埋設され、そして他方は金庫受け台２から突出している。閉塞部９がワイヤメッシュ１０を含むことにより、閉塞部９と金庫受け台２とはワイヤメッシュ１０により連結され、双方が容易に分離しなくなる。
閉塞部９を金庫本体３の全周にわたって設けて全ての隙間を塞ぐことが好ましいが、例えば金庫装置１を部屋の角または壁際に設ける場合には、壁面と接する部分については閉塞部９、また同時にワイヤメッシュ１０を設ける必要はない。
【００１９】
さらに図示される態様の金庫装置１では、金庫本体３の内部でかつ金庫本体３の底面より上方に上底板１１が張設されて金庫本体３を二重底構造としている。金庫本体３を二重底構造とすることにより、金庫本体３の内側に据付けボルト６およびナット８が露出することを防ぐことができる。
【００２０】
本発明の金庫装置１に、例えば建物内への不審者の侵入、金庫の不正な開閉等により警報を発する警報装置を組み合わせて、包括的な盗難防止システムとすることもできる。本発明の金庫装置１は、上記の如き構成により金庫本体３を金庫受け台２に連結したものであるので、金庫本体３を持ち去るためには該連結を破壊する必要がある。従って、金庫装置１に対する破壊行為により警報が発せられてから実際に金庫が持ち去られるまでに要する時間は従来の金庫に比較して相当長くなり、その間に警備員が到着して、金庫を持ち去ろうとする者を捕らえることが可能となる。
【００２１】
【発明の効果】
本発明の金庫装置では、貫通孔、据付け穴、据付けボルト、ケミカルアンカー材およびナットにより、金庫本体と金庫受け台とが連結されているため、金庫本体は実質的に移動不可能となる。そのため本発明の金庫装置は、金庫そのものを持ち去るという近年の盗難の手口に対応することができ、そして貴重品の安全な保管が可能となる。
【図面の簡単な説明】
【図１】  図１は、本発明の金庫装置のある態様を図示する斜視図である。
【図２】  図２は、図１に図示する金庫装置の断面図である。
【符号の説明】
１      金庫装置
２      金庫受け台
３      金庫本体
４      貫通孔
５      据付け穴
６      据付けボルト
７      ケミカルアンカー材
８      ナット
９      閉塞部
１０    ワイヤメッシュ
１１    上底板
【図１】
0003639953.tif 000002
【図２】
0003639953.tif 000003